(57)【要約】【課題】針放電式マイナスイオン発生器を内装してマイナスイオンの発生を高め、人の指が接触する危険を無くすべく硬質発泡合成樹脂製垂直隔離板の内部に装備し、且つ隔離板の側壁部の帯電を阻止することを、および、イオン発生器の取付構造を簡素化すること。【課題解決手段】室内側と室外側とを隔離する硬質発泡合成樹脂製垂直隔離板の側部寄りに前後方向に貫通する支持孔を設け、垂直隔離板の側壁部を包囲する金属保護体を設け、前記支持孔に挿入したイオン発生器の後端に後パネルの一部を接当させ、前記金属保護体の内端部をイオン発生器の前面部に係合させ、前記金属保護体にアーステープを取付けてなる、一体型エアコンのイオン発生器取付構造。【選択図】図２
2004301426.tif 000002
【特許請求の範囲】
【請求項１】
室内側と室外側とを隔離する硬質発泡合成樹脂製垂直隔離板の側部寄りに前後方向に貫通する支持孔を設け、
垂直隔離板の側壁部を包囲する金属保護体を設け、
前記支持孔に挿入したイオン発生器の後端に後パネルの一部を接当させ、前記金属保護体の内端部をイオン発生器の前面部に係合させ、
前記金属保護体にアーステープを取付けてなる、一体型エアコンのイオン発生器取付構造
【発明の詳細な説明】
【０００１】
【発明の属する技術分野】
本願発明は、一体型エアコンのイオン発生器取付構造に関するものである。より詳しくは、一体型エアコンにおいて、マイナスイオンによる癒し効果のある室内雰囲気の形成のためのイオン発生器を装備した一体型エアコンに関するものである。
【０００２】
【従来の技術】
一体型（室内型）エアコンにいてマイナスイオン発生手段を有する公知技術として、特開２０００−１２１０８７号「室内エアコン用マイナスイオン発生装置」が公知で存在する。上記の公知技術は、トルマリン二次素材を内装することで、一体型（室内型）エアコンよりトルマリンによるマイナスイオンを放出するものである。
また、針放電式マイナスイオン発生器を装備した一体型（室内型）エアコンとして、図６に示す構造のものが公知である。室内側と室外側とを隔離する硬質発泡合成樹脂製垂直隔離板の側壁部の前面に針放電式マイナスイオン発生器を装備している。針が吹き出し口に接近していることで人の指が接触する危険がある。
【０００３】
【特許文献１】特開２０００−１２１０８７号公開特許公報
【０００４】
【発明が解決しようとする課題】
本願発明は、マイナスイオンの発生を高めるべく、針放電式マイナスイオン発生器を内装し、且つ、人の指が接触する危険を無くすべく硬質発泡合成樹脂製垂直隔離板の内部に装備した場合に生じる隔離板の側壁部の帯電を阻止することを、および、イオン発生器の取付構造を簡素化することを課題とする。
【０００５】
【課題を解決するための手段】
本願発明は、室内側と室外側とを隔離する硬質発泡合成樹脂製垂直隔離板の側部寄りに前後方向に貫通する支持孔を設け、垂直隔離板の側壁部を包囲する金属保護体を設け、前記支持孔に挿入したイオン発生器の後端に後パネルの一部を接当させ、前記金属保護体の内端部をイオン発生器の前面部に係合させ、前記金属保護体にアーステープを取付けたことを特徴とする、一体型エアコンのイオン発生器取付構造を提供する。
【０００６】
【発明の実施の態様】
本願発明の一体型エアコンのイオン発生器取付構造の実施態様を説明する。
室内側と室外側とを隔離する硬質発泡合成樹脂製垂直隔離板に、その側部寄りに位置して前後方向に貫通する四角柱形状の支持孔を設ける。四角柱形状のイオン発生器を前記支持孔に挿入し係合する。
垂直隔離板の側壁部の前面、内面の一部および外面の一部を包囲する、平面視コ状の金属保護体を設ける。
前記支持孔に挿入したイオン発生器の後端を後パネルの一部に接当させ、前記金属保護体の内端部をイオン発生器の前面部に係合させる。
前記金属保護体にアーステープを取付け、アースケースの下端を機体にアース接続する。
【０００７】
【実施例】
以下、図面に示す実施例にもとづいて、本願発明を詳細に説明する。
【０００８】
図１は、一体型エアコンの大要を示す横断面図で、１０は硬質発泡合成樹脂製（スチロール発泡樹脂製）垂直隔離板、１１は前パネル、１２は後パネル、１３は室内側熱交換器、１４は室外側熱交換器、１５は室内ファン、１６は室外ファンである。
１７はルーバーで吹出し口が形成されている。
【０００９】
図２は、本発明の実施例を示す図１の部分拡大図であり、一体型アアコンの室内側と室外側とを隔離する硬質発泡合成樹脂製垂直隔離板１０に、その側部寄りに位置して前後方向に貫通する四角柱形状の支持孔２を設ける。四角柱形状のイオン発生器１を前記支持孔に挿入し係合する。１ａは放電針である。
【００１０】
垂直隔離板１０の側壁部３の前面３ａ、内面の前半部３ｂおよび外面の先端部３ｃを包囲する、４ａ、４ｂ、４ｃ、４ｄよりなる平面視コ状の金属保護体４を設ける。
【００１１】
図３および図４を参照して、前記金属保護板４は、ＳＵＳ鋼板のプレス加工品とし、その内面部４ａの端部４ｄにイオン発生器１の幅に対応する切欠５を形成している。
【００１２】
前記支持孔２に挿入したイオン発生器１の後端１ｂを後パネル１２の延長部１２ａの先端に接当させ、前記金属保護体４の内端部４ｂの切欠５をイオン発生器１の前面部１ｃに係合させることで、イオン発生器１を一体型エアコンの内部に固定する。
【００１３】
図５を参照して、前記金属保護体１にアルミ製のアーステープ６を貼付け固定し、アーステープ６の下端を機体（鋼板製コンプレッサーカバー）７にアース接続Ｅする。
【００１４】
本発明によりイオン発生器１を一体型エアコンに装備するにあたり、硬質発泡合成樹脂製垂直隔離板１０の側部寄りに位置して前後方向に貫通させて形成した四角柱形状の支持孔２に、四角柱形状のイオン発生器１を挿入し係合する。前記支持孔２に挿入したイオン発生器１を、押込むことにより、イオン発生器１の後端１ｂを後パネル１２の延長部１２ａの先端に接当させることで、イオン発生器１の後端位置を規制する。
【００１５】
垂直隔離板１０の側壁部３に、前面側よりの後方に向け金属保護板４を挿入して、側壁部３の前面３ａ、内面の前半部３ｂおよび外面の先端部３ｃを包囲する。
【００１６】
前記金属保護体４の内端部４ｂの切欠５をイオン発生器１の前面部１ｃに係合させることで、金属保護体４をイオン発生器１に固定するとともに、イオン発生器１の前端位置を規制する。
【００１７】
図５を参照して、前記金属保護体１に貼付け固定したアルミ製のアーステープ６の下端を、機体（鋼板製コンプレッサーカバー）７にアース接続Ｅする。
【００１８】
金属保護板４は、側壁部３の前面３ａ、内面の前半部３ｂおよび外面の先端部３ｃを包囲することで、垂直隔離板１０の側壁部３を補強する。
また、前記金属保護体４は、アルミ製のアーステープ６を介して、機体（鋼板製コンプレッサーカバー）７にアース接続Ｅされていることで、垂直隔離板１０の側壁部３の帯電を阻止する。
【００１９】
ルーバー１７とイオン発生器１の針１ａとの間には、金属保護板４の内面部４ａに相当する距離でが隔離されているので、ルーバー１７の吹出し口より挿入した指がイオン発生器１の針１ａと接触する危険はない。
【００２０】
【発明の効果】
本発明は、針放電式マイナスイオン発生器を装備することで、一体型（室内型）エアコンニマイススイオンを効果的に発生させることができ、かつ、イオン発生器の取付構造を簡素化することができる。
垂直隔離板の側部を包囲する金属保護体により硬質発泡合成樹脂製垂直隔離板の側面部を補強するとともに、ルーバー１７の吹出し口と針放電式マイナスイオン発生器の針との間に安全間隔を確保することができる。
さらに、針放電式マイナスイオン発生器を内装して、ルーバー１７の吹出し口と針放電式マイナスイオン発生器の針との間に安全間隔を確保するものであるが、金属保護板、アーステープを介して機体にアースすることで、硬質発泡合成樹脂製垂直隔離板の側壁部の帯電を阻止することができる効果を有する。
【図面の簡単な説明】
【図１】一体型エアコンの横断面。
【図２】本願発明の要部を示す、一体型エアコンの部分拡大横断面。
【図３】金属保護体の側面図。
【図４】同じく平面図。
【図５】アース取付構造を示す、一体型エアコンの部分斜視図。
【図６】従来例の針放電式マイナスイオン発生器の取付構造を示す、一体型エアコンの部分横断面。
【符号の説明】
１    イオン発生器
１ａ  放電針
２    支持孔
３    側壁部
４    金属保護体
５    切欠
６    アルミ製のアーステープ
７    機体（鋼板製コンプレッサーカバー）
１０  硬質発泡合成樹脂製（スチロール発泡樹脂製）垂直隔離板、
Ｅ    アース接続
【図１】
2004301426.tif 000003
【図２】
2004301426.tif 000004
【図３】
2004301426.tif 000005
【図４】
2004301426.tif 000006
【図５】
2004301426.tif 000007
【図６】
2004301426.tif 000008